(57)【要約】      （修正有）【課題】製造が簡単であり、コストを抑えることができ、着心地のよい、且つ、美観効果を具備するブラジャーを提供する。【解決手段】２つのブラジャー形状の内布片１１と外布片１２とを粘着させ、１つのブラジャー主体に形成することにより、縫い目のない簡易式ブラジャーの構造をなす。外布片１２の表面の所定の位置に超音波振動加圧ローラー加工圧迫成型により立体模様が設けてある。【選択図】図１
0003110478.tif 000002
【実用新案登録請求の範囲】
【請求項１】
２つのブラジャー形状の内布片（１１）と外布片（１２）とを粘着させ、１つのブラジャー主体（１０）に形成することにより、縫い目のない構造をなすことを特徴とするブラジャー。
【請求項２】
上記内布片（１１）と上記外布片（１２）との間に、１つの定型レース（１３）と２つの鋼圏（１４）とスポンジ（１４１）とを設置したことを特徴とする請求項１記載のブラジャー。
【請求項３】
上記ブラジャー主体（１０）の上縁は４つの凸部（１５）（１６）を形成し、両端はそれぞれ１つの接合部（１７）（１８）を形成してもよく、それぞれの凸部（１５）（１６）は内側に折り返して、引っ掛け部を圧合形成し、肩紐（３０）が引っ掛けてあり、両端の接合部（１７）（１８）はそれぞれ１対のフック（４１）（４２）を具備して、背部でフックされる構成としたことを特徴とする請求項１記載のブラジャー。
【請求項４】
上記外布片（１２）の表面の所定の位置に、超音波振動加圧ローラー加工圧迫成型により立体模様（２０）を設けたことを特徴とする請求項１記載のブラジャー。
【請求項５】
上記内布片（１１）及び上記外布片（１２）の辺縁に、超音波振動加圧ローラー加工圧迫成型により造型辺縁（５０）（５０Ｂ）を設けたことを特徴とする請求項１記載のブラジャー。
【考案の詳細な説明】
【技術分野】
【０００１】
本考案はブラジャーの構造の改良に係り、特に、２つのブラジャー形状の内布片と外布片とを粘着させ、１つのブラジャー主体に形成することにより、縫い目のない簡易式ブラジャーの構造をなすブラジャーに関する。
【背景技術】
【０００２】
従来のブラジャーは、肩紐があるタイプであっても肩紐が無いタイプであっても、布、スポンジ、鋼圏、或いは、更にパット、水パット等を重ね合わせ、一種の複層式構造形態を形成する構造である。
【考案の開示】
【考案が解決しようとする課題】
【０００３】
しかし、この従来のブラジャーは、構造が多層であり、縫い合わせる個所が多いため、製造コストを下げることが難しく、又、製造上裁断、縫製を何回も行なう必要があり、製造過程上簡単且つ迅速な製成を行なうことは難しい。高価なブラジャーであれば、業者は利益も多い為、影響が少ないが、今日の市場において、ブラジャー商品は各種レベル、各種ニーズにあった形態等があり、その中には短期（旅行等）、カジュアル（家の中で）に着るという場合にはブラジャーも比較的低廉な価格のブラジャーでもよいという消費者も多い。しかし、上記製造方法による製造形態は製造コストを抑えることができず、又、利益を得ることも難しいという問題がある。
【０００４】
従って、従来のブラジャーの上記欠点を改良した構造の一種の製造コストを抑えることができ、且つ、着心地のよいブラジャーを開発するかが、関係業界では開発目標となっている。
【０００５】
本考案人は上記課題に取り組み、関係する製品の開発及び設計に従事し、上記の目標に焦点をしぼり、研究を行ない、設計もより精密になり、試験と評価を繰り返し、ついに実用性のある本考案が完成した。
【０００６】
そこで、本考案は従来の欠点を解決したブラジャーを提供することを目的とする。
【課題を解決するための手段】
【０００７】
本考案は、２つのブラジャー形状の内布片（１１）と外布片（１２）とを粘着させ、１つのブラジャー主体（１０）に形成することにより、縫い目のない構造をなすことを特徴とする。
【０００８】
また、本考案は、外布片（１２）の表面の予設の位置に超音波振動加圧ローラー加工圧迫成型により立体模様（２０）を設けることを特徴とする。
【０００９】
また、本考案は、内布片（１１）及び外布片（１２）の辺縁は超音波振動加圧ローラー加工圧迫成型により造型辺縁（５０）（５０Ｂ）を具備することを特徴とする。
【考案の効果】
【００１０】
縫い目のない簡易式ブラジャーの構造をなし、上記構造により、製造が簡単であり、コストを抑えることができ、着心地のよい、美観効果を具備する。
【考案を実施するための最良の形態】
【００１１】
次に本考案の実施の形態について説明する。
【実施例１】
【００１２】
図１、図２及び図３は本考案のブラジャーの構造の改良の実施例を示す。
【００１３】
ブラジャーは、２つのブラジャー形状の内布片（１１）と外布片（１２）とを粘着させ、１つのブラジャー主体（１０）に形成することにより、縫い目のない簡易式ブラジャーの構造をなし、そのうち、外布片（１２）の表面の所定の位置に、図５及び図６に示すように、超音波振動加圧ローラー加工圧迫成型により立体模様（２０）を設ける構造である。
【００１４】
内布片（１１）と外布片（１２）との間に１つの定型レース（１３）と２つの鋼圏（１４）とスポンジ（１４１）とが設置してある。
【００１５】
図４に示すように、ブラジャー主体（１０）の上縁は４つの凸部（１５）（１６）を形成し、両端はそれぞれ１つの接合部（１７）（１８）を形成してもよく、それぞれの凸部（１５）（１６）は内側に折り返して、引っ掛け部を圧合形成し、肩紐（３０）を引っ掛けられる。両端の接合部（１７）（１８）はそれぞれ１対のフック（４１）（４２）を具備することにより、背部でフックすることが可能である。
【００１６】
内布片（１１）外布片（１２）の辺縁は超音波振動加圧ローラー加工圧迫成型により造型辺縁（５０）（５０Ｂ）を具備してもよい。図７は波浪形の造型辺縁（５０）の実施例であり、図８は不規則状の造型辺縁（５０Ｂ）の実施例である。
【００１７】
上記構造のブラジャーは、以下に記載する四つの利点を有する。
１．２つのブラジャー形状の内布片（１１）と外布片（１２）とを粘着させ、１つのブラジャー主体（１０）に形成することにより、製造が簡単であり、コストを抑えることができるブラジャーを提供することができる。
２．２つのブラジャー形状の内布片（１１）と外布片（１２）とを粘着させ、１つのブラジャー主体（１０）に形成することにより、縫い目のない簡易式ブラジャーの構造をなし、着心地のよいブラジャーを提供することができる。
３．外布片（１２）の表面の所定の位置に超音波振動加圧ローラー加工圧迫成型により立体模様（２０）を設ける構造で、各種の型により各種立体模様或いは図柄を具備させ、独特の美観効果を具備させることができる。
４．内布片（１１）外布片（１２）の辺縁は超音波振動加圧ローラー加工圧迫成型により造型辺縁（５０）（５０Ｂ）を具備してもよく、これによりブラジャーの美観性を更に高めることができ、従来のレースとは異なる創意性のある美観を具備させることができる。
【００１８】
上記は本考案の考案実施例について本創作の技術及び特徴を具体に説明するもので、そして熟知した技術者が本創作の延長線上で修正作業を行なっても本創作の権利範囲内である。
【図面の簡単な説明】
【００１９】
【図１】本考案のブラジャーの分解立体図である。
【図２】本考案のブラジャーの組み合わせ立体図である。
【図３】本考案のブラジャーの局部断面図である。
【図４】本考案のブラジャー主体（１０）と肩紐（３０）の組み合わせ状態を示す図である。
【図５】本考案のブラジャー主体（１０）の表面に立体模様（２０）を設けた状態の立体図である。
【図６】本考案の立体模様（２０）を設ける部位の断面図である。
【図７】本考案の布片辺縁に造型辺縁（５０）を具備させる実施例を示す図である。
【図８】本考案の布片辺縁に造型辺縁（５０Ｂ）を具備させる実施例を示す図である。
【符号の説明】
【００２０】
１０  ブラジャー主体
１１  内布片
１２  外布片
１３  定型レース
１４  鋼圏
１４１  スポンジ
１５，  １６  凸部
１７，  １８  接合部
２０  立体模様
３０  肩紐
４１，  ４２  フック
５０，  ５０Ｂ  造型辺縁
【図１】
0003110478.tif 000003
【図２】
0003110478.tif 000004
【図３】
0003110478.tif 000005
【図４】
0003110478.tif 000006
【図５】
0003110478.tif 000007
【図６】
0003110478.tif 000008
【図７】
0003110478.tif 000009
【図８】
0003110478.tif 000010